(57)【要約】【課題】有料道路の通行料金を車両のユーザから収受する有料道路料金収受システムの提供。【解決手段】有料道路料金収受システムＳは、ＩＣナンバープレート３Ａを装着した車両１と有料道路Ｒの路側アンテナ５Ａと有料道路料金所４の路側アンテナ５Ｂと有料道路通行料金請求／徴収代行会社７のサーバ７０とサービス提供依頼者８の端末８０とを具備する。有料道路通行料金請求／徴収代行会社７のサーバ７０は、路側アンテナ５Ｂの料金所基地局４０から送信された各種の情報を受信し、車両１の通行実績に基づき有料道路Ｒの通行料金を計算し、計算した有料道路Ｒの通行料金を車両１を所有するユーザＰに請求して徴収する。【選択図】　　　　図１
2004133563.tif 000002
【特許請求の範囲】
【請求項１】
車両と、車両に装着され、車両を所有するユーザに関する個人情報及び車両に関する車両情報などの各種の情報を登録したＩＣチップを埋め込んで設けた無線通信機能を有する非接触型のＩＣナンバープレートと、車両の走行する有料道路及びＩＣナンバープレート装着車両専用レーンを有する有料道路料金所に設置された路側アンテナと、有料道路を管理する有料道路管理会社サーバと、有料道路の通行料金を有料道路管理会社に代ってユーザから請求／徴収する有料道路通行料金請求／徴収代行会社サーバと、車両に関連する車両関連サービス情報の提供を有料道路通行料金請求／徴収代行会社に対して依頼するサービス提供依頼者端末とを具備し、有料道路及び有料道路料金所に設置された路側アンテナの基地局と有料道路管理会社サーバと有料道路通行料金請求／徴収代行会社サーバとサービス提供依頼者端末とを公衆回線を介して各種の情報を送受信するように接続した有料道路料金収受システムであって、
ＩＣナンバープレートは、ＩＣチップに登録した各種の情報を発信する機能を備え、有料道路に設置された路側アンテナは、有料道路を走行する車両のＩＣナンバープレートから発信される各種の情報を受信する機能を備え、有料道路料金所に設置された路側アンテナは、車両のＩＣナンバープレートから発信される各種の情報を有料道路料金所入口と有料道路料金所出口で受信する機能を備え、有料道路及び有料道路料金所に設置された路側アンテナの基地局は、受信した各種の情報を有料道路通行料金請求／徴収代行会社サーバに送信する機能を備え、有料道路通行料金請求／徴収代行会社サーバは、中央処理機能を有し、路側アンテナの基地局から送信された各種の情報を受信する機能と、受信した各種の情報をデータベースに格納する機能と、車両の通行実績に基づき有料道路の通行料金を計算する機能と、計算した有料道路の通行料金を車両を所有するユーザに請求して徴収する機能とを備えたことを特徴とする有料道路料金収受システム。
【請求項２】
ＩＣナンバープレートに埋設したＩＣチップに登録された車両を所有するユーザに関する個人情報は、ユーザを特定するユーザＩＤ，氏名，生年月日，年令，性別，現住所，電話番号，料金請求先，連絡先などの情報を有している請求項１に記載の有料道路料金収受システム。
【請求項３】
ＩＣナンバープレートに埋設したＩＣチップに登録された車両に関する車両情報は、車両を特定する車両ＩＤ，自動車登録番号標，車両番号標などの番号標情報，自動車検査（車検）情報，自動車損害賠償責任保険（強制保険）情報，任意自動車保険（対人賠償保険，対物賠償保険）情報などの情報を有している請求項１に記載の有料道路料金収受システム。
【請求項４】
有料道路管理会社と有料道路通行料金請求／徴収代行会社とは、有料道路の通行料金を車両のユーザから徴収する業務契約を締結し、有料道路通行料金請求／徴収代行会社サーバは、車両のユーザから有料道路の通行料金を請求／徴収した通行料金請求／徴収情報を有料道路管理会社サーバに送信する機能を備えている請求項１に記載の有料道路料金収受システム。
【請求項５】
有料道路管理会社サーバは、有料道路通行料金請求／徴収代行会社サーバから送信された通行料金請求／徴収情報を受信する機能と、受信した通行料金請求／徴収情報をデータベースに格納する機能とを備えている請求項１または４に記載の有料道路料金収受システム。
【請求項６】
有料道路通行料金請求／徴収代行会社サーバは、車両のユーザから有料道路の通行料金を収受した場合、利用明細書を車両のユーザに送付する機能を備えている請求項１，４，５のいずれかに記載の有料道路料金収受システム。
【請求項７】
有料道路通行料金請求／徴収代行会社サーバは、有料道路を利用した年月日と通行料金の利用履歴を作成する機能と、作成した利用履歴情報を有料道路管理会社サーバに送信する機能と、作成した利用履歴情報をデータベースに格納する機能とを備えている請求項１に記載の有料道路料金収受システム。
【請求項８】
有料道路管理会社サーバは、有料道路通行料金請求／徴収代行会社サーバから送信された利用履歴情報を受信する機能と、受信した利用履歴情報をデータベースに格納する機能とを備えている請求項１または７に記載の有料道路料金収受システム。
【請求項９】
有料道路通行料金請求／徴収代行会社とサービス提供依頼者とは、車両に関連する車両関連サービス情報を提供する契約を締結し、有料道路通行料金請求／徴収代行会社サーバは、サービス提供依頼者端末から車両に関連する車両関連サービス情報の提供の依頼があった場合、車両に関連する車両関連サービス情報を有料でサービス提供依頼者端末に通知する機能を備えている請求項１に記載の有料道路料金収受システム。
【請求項１０】
車両に関連する車両関連サービス情報は、車両の現在位置の確認情報，盗難車両発見情報，不正車両発見情報，車検未済車両発見情報，自動車損害賠償責任保険（強制保険）有効期限切れ車両発見情報，速度超過違反車両発見情報，積載物重量制限超過違反車両発見情報などの情報を有している請求項１または９に記載の有料道路料金収受システム。
【発明の詳細な説明】
【０００１】
【発明の属する技術分野】
本発明は、特に、高速自動車道路，自動車専用道路などの有料道路を走行する車両のユーザから有料道路の通行料金を有料道路管理会社に代行して収受するようにした有料道路料金収受システムに関するものである。
【０００２】
【従来の技術】
一般に、高速自動車道路，自動車専用道路などの有料道路では、車両が有料道路料金所を通過するに際し、車両を有料道路料金所で一旦停車させた後、ユーザが有料道路料金所のブース内にいる料金所係員に有料道路の通行料金を現金，高速チケット、ハイウェイカードなどで直接手渡して支払っていたので、有料道路料金所での有料道路の通行料金の支払いに時間を要し、車両を有料道路料金所で一旦停車しなければいけなかったので、車両の有料道路料金所の通過に時間がかかり、有料道路料金所での渋滞の大きな原因となっており、有料道路料金所手前での渋滞中に車両より排気ガスや騒音が発生し、有料道路料金所周辺の住人に対して大気汚染や騒音などの交通公害を与えていた。
【０００３】
近年、有料道路においては、有料道路料金所付近での車両の渋滞の緩和や有料道路の通行料金のキャッシュレス決済による利便性の向上を目的とした新しい料金支払いシステムであるＥＴＣシステム（Ｅｌｅｃｔｒｏｎｉｃ　Ｔｏｌｌ　Ｃｏｌｌｅｃｔｉｏｎ　Ｓｙｓｔｅｍ；有料道路自動料金収受システム）が普及してきている。
ＥＴＣシステムは、車両に搭載したＥＴＣ車載器と有料道路料金所に設置した路側アンテナとの間で無線通信により有料道路の通行料金の情報を送受信し、有料道路料金所をノンストップで有料道路の通行料金を自動的に収受するシステムである。
【０００４】
さらに、現在、ナンバープレートにＩＣチップを埋め込んで設けたスマートナンバープレート（ＩＣナンバープレート）が国土交通省により計画されている。
【０００５】
【発明が解決しようとする課題】
ところが、ＥＴＣシステムでは、車両を所有するユーザがクレジット会社の発行するＥＴＣカードと高額なＥＴＣ車載器を用意しなければならず、ユーザに金銭的負担がかかり、ユーザがＥＴＣカードを紛失するおそれがあり、有料道路の通行料金がＥＴＣカードの指定銀行口座より引き落とされていた。
【０００６】
本発明の目的は、上述した問題点に鑑み、ＩＣチップを埋設したＩＣナンバープレートをユーザの所有する車両に装着するのみで、車両が有料道路に設置された有料道路料金所のＩＣナンバープレート装着車両専用レーンを入口・出口とも一旦停止することなくスムーズに通過でき、有料道路料金所での渋滞を緩和し、車両に装着されたＩＣナンバープレートと有料道路に設置された路側アンテナとの間で無線通信を行い、車両に装着されたＩＣナンバープレートと有料道路料金所に設置された路側アンテナとの間で無線通信を行い、有料道路通行料金請求／徴収代行会社が車両を所有するユーザに関する個人情報及び車両に関する車両情報を路側アンテナの基地局から自動的に入手し、車両を運転するユーザが有料道路料金所で長時間待たされるようなこともなく、有料道路通行料金請求／徴収代行会社が有料道路管理会社に代行して車両を所有するユーザから有料道路の通行料金を収受し、従来のように車両を所有するユーザがＥＴＣカードや高額なＥＴＣ車載器を用意する必要がなく、車両を所有するユーザの金銭的負担を低減することが可能な有料道路料金収受システムを提供することにある。
【０００７】
【課題を解決するための手段】
本発明の有料道路料金収受システムは、車両と、車両に装着され、車両を所有するユーザに関する個人情報及び車両に関する車両情報などの各種の情報を登録したＩＣチップを埋め込んで設けた無線通信機能を有する非接触型のＩＣナンバープレートと、車両の走行する有料道路及びＩＣナンバープレート装着車両専用レーンを有する有料道路料金所に設置された路側アンテナと、有料道路を管理する有料道路管理会社サーバと、有料道路の通行料金を有料道路管理会社に代ってユーザから請求／徴収する有料道路通行料金請求／徴収代行会社サーバと、車両に関連する車両関連サービス情報の提供を有料道路通行料金請求／徴収代行会社に対して依頼するサービス提供依頼者端末とを具備し、有料道路及び有料道路料金所に設置された路側アンテナの基地局と有料道路管理会社サーバと有料道路通行料金請求／徴収代行会社サーバとサービス提供依頼者端末とを公衆回線を介して各種の情報を送受信するように接続した有料道路料金収受システムであって、ＩＣナンバープレートが、ＩＣチップに登録した各種の情報を発信する機能を備え、有料道路に設置された路側アンテナが、有料道路を走行する車両のＩＣナンバープレートから発信される各種の情報を受信する機能を備え、有料道路料金所に設置された路側アンテナが、車両のＩＣナンバープレートから発信される各種の情報を有料道路料金所入口と有料道路料金所出口で受信する機能を備え、有料道路及び有料道路料金所に設置された路側アンテナの基地局が、受信した各種の情報を有料道路通行料金請求／徴収代行会社サーバに送信する機能を備え、有料道路通行料金請求／徴収代行会社サーバが、中央処理機能を有し、路側アンテナの基地局から送信された各種の情報を受信する機能と、受信した各種の情報をデータベースに格納する機能と、車両の通行実績に基づき有料道路の通行料金を計算する機能と、計算した有料道路の通行料金を車両を所有するユーザに請求して徴収する機能とを備えたことを特徴とする構成を有するものである。
【０００８】
本発明の有料道路料金収受システムは、ＩＣナンバープレートに埋設したＩＣチップに登録された車両を所有するユーザに関する個人情報が、ユーザを特定するユーザＩＤ，氏名，生年月日，年令，性別，現住所，電話番号，料金請求先，連絡先などの情報を有している。
【０００９】
本発明の有料道路料金収受システムは、ＩＣナンバープレートに埋設したＩＣチップに登録された車両に関する車両情報が、車両を特定する車両ＩＤ，自動車登録番号標，車両番号標などの番号標情報，自動車検査（車検）情報，自動車損害賠償責任保険（強制保険）情報，任意自動車保険（対人賠償保険，対物賠償保険）情報などの情報を有している。
【００１０】
本発明の有料道路料金収受システムは、有料道路管理会社と有料道路通行料金請求／徴収代行会社とが、有料道路の通行料金を車両のユーザから徴収する業務契約を締結し、有料道路通行料金請求／徴収代行会社サーバが、車両のユーザから有料道路の通行料金を請求／徴収した通行料金請求／徴収情報を有料道路管理会社サーバに送信する機能を備えている。
【００１１】
本発明の有料道路料金収受システムは、有料道路管理会社サーバが、有料道路通行料金請求／徴収代行会社サーバから送信された通行料金請求／徴収情報を受信する機能と、受信した通行料金請求／徴収情報をデータベースに格納する機能とを備えている。
【００１２】
本発明の有料道路料金収受システムは、有料道路通行料金請求／徴収代行会社サーバが、車両のユーザから有料道路の通行料金を収受した場合、利用明細書を車両のユーザに送付する機能を備えている。
【００１３】
本発明の有料道路料金収受システムは、有料道路通行料金請求／徴収代行会社サーバが、有料道路を利用した年月日と通行料金の利用履歴を作成する機能と、作成した利用履歴情報を有料道路管理会社サーバに送信する機能と、作成した利用履歴情報をデータベースに格納する機能とを備えている。
【００１４】
本発明の有料道路料金収受システムは、有料道路管理会社サーバが、有料道路通行料金請求／徴収代行会社サーバから送信された利用履歴情報を受信する機能と、受信した利用履歴情報をデータベースに格納する機能とを備えている。
【００１５】
本発明の有料道路料金収受システムは、有料道路通行料金請求／徴収代行会社とサービス提供依頼者とが、車両に関連する車両関連サービス情報を提供する契約を締結し、有料道路通行料金請求／徴収代行会社サーバが、サービス提供依頼者端末から車両に関連する車両関連サービス情報の提供の依頼があった場合、車両に関連する車両関連サービス情報を有料でサービス提供依頼者端末に通知する機能を備えている。
【００１６】
本発明の有料道路料金収受システムは、車両に関連する車両関連サービス情報が、車両の現在位置の確認情報，盗難車両発見情報，不正車両発見情報，車検未済車両発見情報，自動車損害賠償責任保険（強制保険）有効期限切れ車両発見情報，速度超過違反車両発見情報，積載物重量制限超過違反車両発見情報などの情報を有している。
【００１７】
【発明の実施の形態】
以下、本発明の実施の形態を図面に基づいて詳細に説明する。
図１は本発明の実施の形態に係わる有料道路料金収受システムを示す構成図である。
本発明の有料道路料金収受システムＳは、図１に示すように、車両１と、車両１の前部に装着され、車両１を所有するユーザＰに関する個人情報及び車両１に関する車両情報などの各種の情報を登録したＩＣ（Ｉｎｔｅｇｒａｔｅｄ　Ｃｉｒｃｕｉｔ；集積回路）チップ２を埋め込んで設けた無線通信機能を有する非接触型のＩＣナンバープレート３Ａと、車両１の走行する高速自動車国道，首都高速道路，阪神高速道路，神戸淡路鳴門自動車道，一般有料道路などの有料道路Ｒ及びＩＣナンバープレート装着車両専用レーンを有する有料道路料金所４に設置された路側アンテナ５Ａ及び路側アンテナ５Ｂと、有料道路Ｒを管理する日本道路公団，首都高速道路公団，阪神高速道路公団，本州四国連絡橋公団，地方道路公社または都道府県若しくは市町村などの有料道路管理会社６のサーバ６０と、有料道路Ｒの通行料金を有料道路管理会社６に代ってユーザＰから請求／徴収する電話会社などの有料道路通行料金請求／徴収代行会社７のサーバ７０と、車両１に関連する車両関連サービス情報の提供を有料道路通行料金請求／徴収代行会社７に対して依頼するサービス提供依頼者８の携帯電話機などの端末８０とを具備している。
【００１８】
本発明の有料道路料金収受システムＳは、図１に示すように、有料道路Ｒに設置された路側アンテナ５Ａの有料道路基地局５０と有料道路料金所４に設置された路側アンテナ５Ｂの料金所基地局４０と有料道路管理会社６のサーバ６０と有料道路通行料金請求／徴収代行会社７のサーバ７０とサービス提供依頼者８の端末８０とが公衆回線９を介して各種の情報を送受信するように接続されている。
【００１９】
本発明の有料道路料金収受システムＳは、ＩＣナンバープレート３Ａが、ＩＣチップ２に登録した各種の情報を発信する機能を備えている。
【００２０】
本発明の有料道路料金収受システムＳは、有料道路Ｒに設置された路側アンテナ５Ａが、有料道路Ｒを走行する車両１のＩＣナンバープレート３Ａから発信される各種の情報を受信する機能を備えている。
【００２１】
本発明の有料道路料金収受システムＳは、有料道路料金所４に設置された路側アンテナ５Ｂが、車両１のＩＣナンバープレート３Ａから発信される各種の情報を有料道路料金所入口と有料道路料金所出口で受信する機能を備えている。
【００２２】
本発明の有料道路料金収受システムＳは、有料道路Ｒに設置された路側アンテナ５Ａの有料道路基地局５０及び有料道路料金所４に設置された路側アンテナ５Ｂの料金所基地局４０が、受信した各種の情報を有料道路通行料金請求／徴収代行会社７のサーバ７０に送信する機能を備えている。
【００２３】
本発明の有料道路料金収受システムＳは、有料道路通行料金請求／徴収代行会社７のサーバ７０が、中央処理機能を有し、路側アンテナ５Ａの有料道路基地局５０及び路側アンテナ５Ｂの料金所基地局４０から送信された各種の情報を受信する機能と、受信した各種の情報をデータベース（ＤＢ；Ｄａｔａ　Ｂａｓｅ）７１に格納する機能と、車両１の通行実績に基づき有料道路Ｒの通行料金を計算する機能と、計算した有料道路Ｒの通行料金を車両１を所有するユーザＰに請求して徴収する機能とを備えている。
【００２４】
車両１には、図１に示すように、無線通信機能を有する料金表示記録端末１０が搭載され、料金表示記録端末１０は、有料道路料金所４に設置された路側アンテナ５Ｂから送信された有料道路Ｒの通行料金情報を受信するアンテナ１１と、受信した有料道路Ｒの通行料金情報を表示する表示部（図示せず）とを有している。
【００２５】
有料道路料金所４に設置された路側アンテナ５Ｂは、有料道路料金所出口で有料道路Ｒの通行料金情報を車両１に搭載した料金表示記録端末１０のアンテナ１１に送信する機能を備えている。
【００２６】
車両１に搭載した料金表示記録端末１０のアンテナ１１は、有料道路料金所４に設置された路側アンテナ５Ｂから送信された有料道路Ｒの通行料金情報を受信する機能を備え、料金表示記録端末１０は、アンテナ１１で受信した有料道路Ｒの通行料金情報を表示部の表示画面に表示する機能を備えている。
【００２７】
なお、有料道路通行料金請求／徴収代行会社７は、車両１に別途取付ける料金表示記録端末１０を希望するユーザＰにリースまたはレンタルする。
【００２８】
車両１の前部には、図１に示すように、ＩＣナンバープレート（自動車登録番号標，車両番号標）３Ａが装着され、ＩＣナンバープレート３Ａのナンバープレート本体３０の一部にはＩＣチップ２が埋設され、ＩＣナンバープレート３Ａのナンバープレート本体３０には自動車登録番号または車両番号が文字で表記されている。
【００２９】
なお、有料道路通行料金請求／徴収代行会社７は、既存の車両１に取付けるＩＣナンバープレート３Ａの取得費用を負担する。
【００３０】
車両１の後部には、図１に示すように、通常のナンバープレート（自動車登録番号標，車両番号標）３Ｂが装着され、ナンバープレート３Ｂのナンバープレート本体３１にはＩＣナンバープレート３Ａと同様に自動車登録番号または車両番号が文字で表記されている。
【００３１】
有料道路Ｒに設置された路側アンテナ５Ａは、有料道路基地局５０に接続されている。
【００３２】
有料道路Ｒに設置された有料道路料金所４は、図１に示すように、路側アンテナ５Ｂと、路側アンテナ５Ｂに接続された料金所基地局４０と、車両１を検知する車両検知器４１と、車両１の高さを計測する車高計４２と、車両１の通過，停車や有料道路Ｒの通行料金を表示する路側表示器４３と、料金所係員の案内を音声で出力するインターホン４４と、開閉バー４５を有する車両１の発進を制御する発進制御装置４６と、車両１を監視する車両監視カメラ４７と、車両１の軸重または輪重を計測する重量計測装置４８とを有している。
【００３３】
有料道路管理会社６は、図１に示すように、パソコン（ＰＣ；Ｐｅｒｓｏｎａｌ　Ｃｏｍｐｕｔｅｒ）６２と、パソコン６２に接続されたサーバ６０と、パソコン６２，サーバ６０に接続されたデータベース（ＤＢ；Ｄａｔａ　Ｂａｓｅ）６１と、パソコン６２，サーバ６０，データベース６１に接続されたルータ６３とを有している。
【００３４】
有料道路管理会社６のサーバ６０は、データベース６１に格納された通行料金請求／徴収情報，利用履歴情報などの情報を管理するものである。
【００３５】
有料道路通行料金請求／徴収代行会社７は、図１に示すように、パソコン（ＰＣ；Ｐｅｒｓｏｎａｌ　Ｃｏｍｐｕｔｅｒ）７２と、パソコン７２に接続されたサーバ７０と、パソコン７２，サーバ７０に接続されたデータベース（ＤＢ；Ｄａｔａ　Ｂａｓｅ）７１と、パソコン７２，サーバ７０，データベース７１に接続されたルータ７３とを有している。
【００３６】
有料道路通行料金請求／徴収代行会社７のサーバ７０は、データベース７１に格納された車両１を所有するユーザＰに関する個人情報，車両１に関する車両情報，車両１に関連する車両関連サービス情報，通行料金請求／徴収情報，利用履歴情報などの情報を管理し、サービス提供依頼者８からの依頼に応じて車両１に関連する車両関連サービス情報の提供を行うものである。
【００３７】
なお、有料道路通行料金請求／徴収代行会社７は、車両１を所有するユーザＰとの別途契約により、付帯サービスとして車両１の現在位置の確認，有料道路Ｒの通行料金の即時連絡，盗難車両発見，不正車両発見，車検未済車両発見，自動車損害賠償責任保険（強制保険）有効期限切れ車両発見などのサービスを有料で行う。
このサービスのためには、既設の携帯電話設備などを利用すれば良い。
【００３８】
本発明の有料道路料金収受システムＳは、ＩＣナンバープレート３Ａに埋設したＩＣチップ２に登録された車両１を所有するユーザＰに関する個人情報が、ユーザＰを特定するユーザＩＤ，氏名，生年月日，年令，性別，現住所，電話番号，料金請求先，連絡先などの情報を有している。
【００３９】
本発明の有料道路料金収受システムＳは、ＩＣナンバープレート３Ａに埋設したＩＣチップ２に登録された車両１に関する車両情報が、車両１を特定する車両ＩＤ，自動車登録番号標，車両番号標などの番号標情報，自動車検査（車検）情報，自動車損害賠償責任保険（強制保険）情報，任意自動車保険（対人賠償保険，対物賠償保険）情報などの情報を有している。
【００４０】
本発明の有料道路料金収受システムＳは、有料道路管理会社６と有料道路通行料金請求／徴収代行会社７とが、有料道路Ｒの通行料金を車両１のユーザＰから徴収する業務契約を締結し、有料道路通行料金請求／徴収代行会社７のサーバ７０が、車両１のユーザＰから有料道路Ｒの通行料金を請求／徴収した通行料金請求／徴収情報を有料道路管理会社６のサーバ６０に送信する機能を備えている。
【００４１】
本発明の有料道路料金収受システムＳは、有料道路管理会社６のサーバ６０が、有料道路通行料金請求／徴収代行会社７のサーバ７０から送信された通行料金請求／徴収情報を受信する機能と、受信した通行料金請求／徴収情報をデータベース６１に格納する機能とを備えている。
【００４２】
本発明の有料道路料金収受システムＳは、有料道路通行料金請求／徴収代行会社７のサーバ７０が、車両１を所有するユーザＰから有料道路Ｒの通行料金を収受した場合、利用明細書を車両１を所有するユーザＰに送付する機能を備えている。
【００４３】
本発明の有料道路料金収受システムＳは、有料道路通行料金請求／徴収代行会社７のサーバ７０が、有料道路Ｒを利用した年月日と通行料金の利用履歴を作成する機能と、作成した利用履歴情報を有料道路管理会社６のサーバ６０に送信する機能と、作成した利用履歴情報をデータベース７１に格納する機能とを備えている。
【００４４】
本発明の有料道路料金収受システムＳは、有料道路管理会社６のサーバ６０が、有料道路通行料金請求／徴収代行会社７のサーバ７０から送信された利用履歴情報を受信する機能と、受信した利用履歴情報をデータベース６１に格納する機能とを備えている。
【００４５】
本発明の有料道路料金収受システムＳは、有料道路通行料金請求／徴収代行会社７とサービス提供依頼者８とが、車両１に関連する車両関連サービス情報を提供する契約を締結し、有料道路通行料金請求／徴収代行会社７のサーバ７０が、サービス提供依頼者８の端末８０から車両１に関連する車両関連サービス情報の提供の依頼があった場合、車両１に関連する車両関連サービス情報を有料でサービス提供依頼者８の端末８０に通知する機能を備えている。
【００４６】
本発明の有料道路料金収受システムＳは、車両１に関連する車両関連サービス情報が、車両１の現在位置の確認情報，盗難車両発見情報，不正車両発見情報，車検未済車両発見情報，自動車損害賠償責任保険（強制保険）有効期限切れ車両発見情報，速度超過違反車両発見情報，積載物重量制限超過違反車両発見情報などの情報を有している。
【００４７】
図２は本発明の有料道路料金収受システムにおける車両を所有するユーザのＩＣナンバープレート取得時の処理フローである。
ステップＳ１００でスタートした処理は、車両１を所有するユーザＰのＩＣナンバープレート３Ａの取得時に、まず、ステップＳ１０１で車両１を所有するユーザＰと有料道路通行料金請求／徴収代行会社７とが有料道路Ｒの通行料金を支払うためのＩＣナンバープレート３Ａを利用する契約を締結し、次いで、ステップＳ１０２で有料道路通行料金請求／徴収代行会社７が車両１に装着するＩＣナンバープレート３Ａの取得費用を負担し、次いで、ステップＳ１０３で有料道路通行料金請求／徴収代行会社７の係員がＩＣナンバープレート３Ａに埋設されたＩＣチップ２に登録した車両１を所有するユーザＰに関する個人情報及び車両１に関する車両情報を専用のＩＣチップリーダ（図示せず）を使用して電波で読取り、次いで、ステップＳ１０４で有料道路通行料金請求／徴収代行会社７のパソコン７２がＩＣナンバープレート３ＡのＩＣチップ２から読取った車両１を所有するユーザＰに関する個人情報及び車両１に関する車両情報をデータベース７１に登録する。
【００４８】
図３は本発明の有料道路料金収受システムにおける車両を所有するユーザに関する個人情報及び車両に関する車両情報の有料道路管理会社のデータベースへの登録時の処理フロー図である。
ステップＳ２００でスタートした処理は、車両１を所有するユーザＰに関する個人情報及び車両１に関する車両情報の有料道路管理会社６のデータベース６１への登録時に、まず、ステップＳ２０１で有料道路管理会社６と有料道路通行料金請求／徴収代行会社７とが有料道路Ｒの通行料金を車両１を所有するユーザＰから代行して徴収する業務契約を締結し、次いで、ステップＳ２０２で有料道路通行料金請求／徴収代行会社７のパソコン７２を公衆回線９を経由して有料道路管理会社６のパソコン６２にアクセスし、次いで、ステップＳ２０３で有料道路通行料金請求／徴収代行会社７のサーバ７０が車両１を所有するユーザＰに関する個人情報及び車両１に関する車両情報をデータベース７１から読出し、次いで、ステップＳ２０４で有料道路通行料金請求／徴収代行会社７のサーバ７０がデータベース７１から読出した車両１を所有するユーザＰに関する個人情報及び車両１に関する車両情報を公衆回線９を経由して有料道路管理会社６のサーバ６０に送信する。
【００４９】
次いで、ステップＳ２０５で有料道路管理会社６のサーバ６０が有料道路通行料金請求／徴収代行会社７のサーバ７０から送信された車両１を所有するユーザＰに関する個人情報及び車両１に関する車両情報をルータ６３を中継して受信し、次いで、ステップＳ２０６で有料道路管理会社６のサーバ６０が受信した車両１を所有するユーザＰに関する個人情報及び車両１に関する車両情報をデータベース６１に登録する。
【００５０】
図４及び図５は本発明の有料道路料金収受システムにおけるＩＣナンバープレート装着車両の有料道路走行時の処理フロー図である。
ステップＳ３００でスタートした処理は、ＩＣナンバープレート３Ａを装着した車両１の有料道路Ｒの走行時に、まず、ステップＳ３０１で有料道路Ｒに設置された路側アンテナ５Ａが有料道路Ｒを走行する車両１の前部に装着されたＩＣナンバープレート３Ａから発信される車両１を所有するユーザＰに関する個人情報及び車両１に関する車両情報を受信し、次いで、ステップＳ３０２で有料道路Ｒに設置された路側アンテナ５Ａの有料道路基地局５０が受信した車両１を所有するユーザＰに関する個人情報及び車両１に関する車両情報を公衆回線９を経由して有料道路通行料金請求／徴収代行会社７のサーバ７０に送信する。
【００５１】
次いで、ステップＳ３０３で有料道路通行料金請求／徴収代行会社７のサーバ７０が路側アンテナ５Ａの有料道路基地局５０から送信された車両１を所有するユーザＰに関する個人情報及び車両１に関する車両情報をルータ７３を中継して受信し、次いで、ステップＳ３０４で有料道路通行料金請求／徴収代行会社７のサーバ７０が受信した車両１を所有するユーザＰに関する個人情報及び車両１に関する車両情報をデータベース７１に格納する。
【００５２】
次いで、ステップＳ３０５で有料道路料金所４に設置された路側アンテナ５Ｂが車両１の前部に装着されたＩＣナンバープレート３Ａから発信される車両１を所有するユーザＰに関する個人情報及び車両１に関する車両情報を有料道路料金所入口と有料道路料金所出口で受信し、次いで、ステップＳ３０６で有料道路料金所４に設置された路側アンテナ５Ｂの料金所基地局４０が受信した車両１を所有するユーザＰに関する個人情報及び車両１に関する車両情報を公衆回線９を経由して有料道路通行料金請求／徴収代行会社７のサーバ７０に送信する。
【００５３】
次いで、ステップＳ３０７で有料道路通行料金請求／徴収代行会社７のサーバ７０が路側アンテナ５Ｂの料金所基地局４０から送信された車両１を所有するユーザＰに関する個人情報及び車両１に関する車両情報をルータ７３を中継して受信し、次いで、ステップＳ３０８で有料道路通行料金請求／徴収代行会社７のサーバ７０が受信した車両１を所有するユーザＰに関する個人情報及び車両１に関する車両情報をデータベース７１に格納し、次いで、ステップＳ３０９で有料道路通行料金請求／徴収代行会社７のサーバ７０が車両１の通行実績に基づき有料道路Ｒの通行料金を計算し、次いで、ステップＳ３１０で有料道路通行料金請求／徴収代行会社７のサーバ７０が計算した有料道路Ｒの通行料金情報をデータベース７１に格納し、次いで、ステップＳ３１１で有料道路通行料金請求／徴収代行会社７のサーバ７０が計算した有料道路Ｒの通行料金を車両１を所有するユーザＰに請求して徴収する。
【００５４】
次いで、ステップＳ３１２で有料道路通行料金請求／徴収代行会社７のサーバ７０が車両１のユーザＰから有料道路Ｒの通行料金を請求／徴収した通行料金請求／徴収情報をデータベース７１に格納し、次いで、ステップＳ３１３で有料道路通行料金請求／徴収代行会社７のサーバ７０が通行料金請求／徴収情報を公衆回線９を経由して有料道路管理会社６のサーバ６０に送信し、次いで、ステップＳ３１４で有料道路管理会社６のサーバ６０が有料道路通行料金請求／徴収代行会社７のサーバ７０から送信された通行料金請求／徴収情報をルータ６３を中継して受信し、次いで、ステップＳ３１５で有料道路管理会社６のサーバ６０が受信した通行料金請求／徴収情報をデータベース６１に格納する。
【００５５】
次いで、ステップＳ３１６で有料道路通行料金請求／徴収代行会社７が車両１を所有するユーザＰから徴収した有料道路Ｒの通行料金を有料道路管理会社６に支払い、次いで、ステップＳ３１７で有料道路管理会社６が一定額の手数料を有料道路通行料金請求／徴収代行会社７に支払う。
【００５６】
図６は本発明の有料道路料金収受システムにおけるユーザの所有する車両の有料道路料金所出口通過時の処理フロー図である。
ステップＳ４００でスタートした処理は、ユーザＰの所有する車両１の有料道路料金所４の出口通過時に、まず、ステップＳ４０１で有料道路通行料金請求／徴収代行会社７のサーバ７０が有料道路Ｒの通行料金情報を公衆回線９を経由して有料道路料金所４の料金所基地局４０に送信し、次いで、ステップＳ４０２で有料道路料金所４の料金所基地局４０が有料道路通行料金請求／徴収代行会社７のサーバ７０から送信された有料道路Ｒの通行料金情報を受信し、次いで、ステップＳ４０３で有料道路料金所４に設置された路側アンテナ５Ｂが受信した有料道路Ｒの通行料金情報をユーザＰの所有する車両１に搭載した料金表示記録端末１０に送信し、次いで、ステップＳ４０４で料金表示記録端末１０のアンテナ１１が有料道路料金所４に設置された路側アンテナ５Ｂから送信された有料道路Ｒの通行料金情報を受信し、次いで、ステップＳ４０５でユーザＰの所有する車両１に搭載した料金表示記録端末１０がアンテナ１１で受信した有料道路Ｒの通行料金を表示部の表示画面に表示する。
【００５７】
図７は本発明の有料道路料金収受システムにおける有料道路の利用履歴情報の有料道路管理会社のデータベースへの格納時の処理フロー図である。
ステップＳ５００でスタートした処理は、有料道路Ｒの利用履歴情報の有料道路管理会社６のデータベース６１への格納時に、まず、ステップＳ５０１で有料道路通行料金請求／徴収代行会社７のサーバ７０が有料道路Ｒを利用した年月日と通行料金の利用履歴を作成し、次いで、ステップＳ５０２で有料道路通行料金請求／徴収代行会社７のサーバ７０が作成した利用履歴情報を公衆回線９を経由して有料道路管理会社６のサーバ６０に送信し、次いで、ステップＳ５０３で有料道路通行料金請求／徴収代行会社７のサーバ７０が作成した利用履歴情報をデータベース７１に格納する。
【００５８】
次いで、ステップＳ５０４で有料道路管理会社６のサーバ６０が有料道路通行料金請求／徴収代行会社７のサーバ７０から送信された利用履歴情報をルータ６３を中継して受信し、次いで、ステップＳ５０５で有料道路管理会社６のサーバ６０が受信した利用履歴情報をデータベース６１に格納する。
【００５９】
図８は本発明の有料道路料金収受システムにおける有料道路通行料金請求／徴収代行会社からサービス提供依頼者への依頼者ＩＤ発行時の処理フロー図である。
ステップＳ６００でスタートした処理は、有料道路通行料金請求／徴収代行会社７からサービス提供依頼者８への依頼者ＩＤ発行時に、まず、ステップＳ６０１で有料道路通行料金請求／徴収代行会社７とサービス提供依頼者８とが車両１に関連する車両関連サービス情報を提供する契約を締結し、次いで、ステップＳ６０２で有料道路通行料金請求／徴収代行会社７のパソコン７２がサービス提供依頼者８に関する各種の依頼者情報をデータベース７１に登録し、次いで、ステップＳ６０３で有料道路通行料金請求／徴収代行会社７がサービス提供依頼者８に対して依頼者ＩＤを発行し、次いで、ステップＳ６０４で有料道路通行料金請求／徴収代行会社７のパソコン７２が発行したサービス提供依頼者８を特定する依頼者ＩＤ情報をデータベース７１に登録する。
【００６０】
図９は本発明の有料道路料金収受システムにおけるサービス提供依頼者から有料道路通行料金請求／徴収代行会社への有料道路を走行する車両に関連する車両関連サービス情報の提供依頼時の処理フロー図である。
ステップＳ７００でスタートした処理は、サービス提供依頼者８から有料道路通行料金請求／徴収代行会社７への有料道路Ｒを走行する車両１に関連する車両関連サービス情報の提供依頼時に、まず、ステップＳ７０１でサービス提供依頼者８の端末８０を公衆回線９を経由して有料道路通行料金請求／徴収代行会社７のパソコン７２にアクセスし、次いで、ステップＳ７０２でサービス提供依頼者８が端末８０に自己を特定する依頼者ＩＤを入力し、次いで、ステップＳ７０３でサービス提供依頼者８の端末８０が入力した自己を特定する依頼者ＩＤを公衆回線９を経由して有料道路通行料金請求／徴収代行会社７のパソコン７２に送信する。
【００６１】
次いで、ステップＳ７０４で有料道路通行料金請求／徴収代行会社７のパソコン７２がサービス提供依頼者８の端末８０から送信されたサービス提供依頼者８を特定する依頼者ＩＤをルータ７３を中継して受信し、次いで、ステップＳ７０５で有料道路通行料金請求／徴収代行会社７のパソコン７２が受信した依頼者ＩＤよりサービス提供依頼者８を識別し、次いで、ステップＳ７０６で有料道路通行料金請求／徴収代行会社７のサーバ７０がサービス提供依頼者８の端末８０からの車両関連サービス情報の提供要求に応じて該当する車両１に関連する車両関連サービス情報をデータベース７１より読み出し、次いで、ステップＳ７０７で有料道路通行料金請求／徴収代行会社７のサーバ７０がデータベース７１より読み出した車両１に関連する車両関連サービス情報を公衆回線９を経由してサービス提供依頼者８の端末８０に送信し、次いで、ステップＳ７０８で有料道路通行料金請求／徴収代行会社７のサーバ７０が車両１に関連する車両関連サービス情報をサービス提供依頼者８の端末８０に有料で通知する。
【００６２】
なお、本発明の有料道路料金収受システムは、有料道路に既に設置済みのＥＴＣシステムの機能をそのまま使用することが可能である。
【００６３】
【発明の効果】
以上に述べたように、本発明の有料道路料金収受システムによれば、ＩＣチップを埋設したＩＣナンバープレートをユーザの所有する車両に装着するのみで、ＩＣナンバープレートがＩＣチップに登録した車両を所有するユーザに関する個人情報及び車両に関する車両情報を発信するので、車両が有料道路に設置された有料道路料金所のＩＣナンバープレート装着車両専用レーンを入口・出口とも一旦停止することなくスムーズに通過することができ、有料道路料金所での渋滞を緩和し、有料道路料金所手前での渋滞中に車両より発生する排気ガスや騒音を減少するので、有料道路料金所周辺の住人に対する大気汚染や騒音などの交通公害を軽減することができる。
【００６４】
また、有料道路に設置された路側アンテナが有料道路を走行する車両のＩＣナンバープレートから発信される車両を所有するユーザに関する個人情報及び車両に関する車両情報を受信するので、車両に装着されたＩＣナンバープレートと有料道路に設置された路側アンテナとの間で無線通信を行うことができ、有料道路料金所に設置された路側アンテナが車両のＩＣナンバープレートから発信される車両を所有するユーザに関する個人情報及び車両に関する車両情報を有料道路料金所入口と有料道路料金所出口で受信するので、車両に装着されたＩＣナンバープレートと有料道路料金所に設置された路側アンテナとの間で無線通信を行うことができ、有料道路及び有料道路料金所に設置された路側アンテナの基地局が受信した車両を所有するユーザに関する個人情報及び車両に関する車両情報を有料道路通行料金請求／徴収代行会社のサーバに送信するので、車両を所有するユーザに関する個人情報及び車両に関する車両情報を有料道路及び有料道路料金所に設置された路側アンテナの基地局から公衆回線を経由して有料道路管理会社のサーバに確実に伝送することができる。
【００６５】
さらに、有料道路通行料金請求／徴収代行会社のサーバが路側アンテナの基地局から送信された車両を所有するユーザに関する個人情報及び車両に関する車両情報を受信するので、有料道路通行料金請求／徴収代行会社が車両を所有するユーザに関する個人情報及び車両に関する車両情報を路側アンテナの基地局から自動的に入手することができ、有料道路通行料金請求／徴収代行会社のサーバが受信した車両を所有するユーザに関する個人情報及び車両に関する車両情報をデータベースに格納するので、車両を所有するユーザに関する個人情報及び車両に関する車両情報を有料道路通行料金請求／徴収代行会社のデータベースにより管理することができ、有料道路通行料金請求／徴収代行会社のサーバが車両の通行実績に基づき有料道路の通行料金を計算するので、車両を運転するユーザが有料道路料金所で長時間待たされるようなこともなく、有料道路通行料金請求／徴収代行会社のサーバが計算した有料道路の通行料金を車両を所有するユーザに請求して徴収するので、有料道路通行料金請求／徴収代行会社が有料道路管理会社に代行して車両を所有するユーザから有料道路の通行料金を収受することができ、車両を所有するユーザが有料道路の通行料金を支払うので、ＥＴＣカード契約者が有料道路の通行料金を支払うＥＴＣシステムと競合することもなく、従来のように車両を所有するユーザがＥＴＣカードや高額なＥＴＣ車載器を用意する必要がなく、車両を所有するユーザの金銭的負担を低減することができる。
【００６６】
本発明の有料道路料金収受システムによれば、ＩＣナンバープレートに埋設したＩＣチップに登録された車両を所有するユーザに関する個人情報がユーザを特定するユーザＩＤ，氏名，生年月日，年令，性別，現住所，電話番号，料金請求先，連絡先などの情報を有しているので、個人情報を車両を所有するユーザの本人確認に有効利用することができる。
【００６７】
本発明の有料道路料金収受システムによれば、ＩＣナンバープレートに埋設したＩＣチップに登録された車両に関する車両情報が車両を特定する車両ＩＤ，自動車登録番号標，車両番号標などの番号標情報，自動車検査（車検）情報，自動車損害賠償責任保険（強制保険）情報，任意自動車保険（対人賠償保険，対物賠償保険）情報などの情報を有しているので、車両情報を車両の確認に有効利用することができる。
【００６８】
本発明の有料道路料金収受システムによれば、有料道路管理会社と有料道路通行料金請求／徴収代行会社とが有料道路の通行料金を車両のユーザから徴収する業務契約を締結するのみで、有料道路通行料金請求／徴収代行会社のサーバが車両のユーザから有料道路の通行料金を請求／徴収した通行料金請求／徴収情報を有料道路管理会社のサーバに送信するので、通行料金請求／徴収情報を有料道路通行料金請求／徴収代行会社のサーバから公衆回線を経由して有料道路管理会社のサーバに確実に伝送することができる。
【００６９】
本発明の有料道路料金収受システムによれば、有料道路管理会社のサーバが有料道路通行料金請求／徴収代行会社のサーバから送信された通行料金請求／徴収情報を受信するので、有料道路管理会社が通行料金請求／徴収情報を有料道路通行料金請求／徴収代行会社から自動的に入手することができ、有料道路管理会社のサーバが受信した通行料金請求／徴収情報をデータベースに格納するので、通行料金請求／徴収情報を有料道路管理会社のデータベースにより管理することができる。
【００７０】
本発明の有料道路料金収受システムによれば、有料道路通行料金請求／徴収代行会社が車両のユーザから有料道路の通行料金を収受した場合に、有料道路通行料金請求／徴収代行会社のサーバが利用明細書を車両を所有するユーザに送付するので、車両を所有するユーザが利用明細書を目で見て有料道路の通行料金の支払いを照合することができる。
【００７１】
本発明の有料道路料金収受システムによれば、有料道路通行料金請求／徴収代行会社のサーバが有料道路を利用した年月日と通行料金の利用履歴を作成するので、有料道路を利用した年月日と通行料金の利用履歴を車両を所有するユーザに分かり易いようにまとめることができ、有料道路通行料金請求／徴収代行会社のサーバが作成した利用履歴情報を有料道路管理会社のサーバに送信するので、作成した利用履歴情報を有料道路通行料金請求／徴収代行会社のサーバから公衆回線を経由して有料道路管理会社のサーバに確実に伝送することができ、有料道路通行料金請求／徴収代行会社のサーバが作成した利用履歴情報をデータベースに格納するので、作成した利用履歴情報を有料道路通行料金請求／徴収代行会社のデータベースにより管理することができる。
【００７２】
本発明の有料道路料金収受システムによれば、有料道路管理会社のサーバが有料道路通行料金請求／徴収代行会社のサーバから送信された利用履歴情報を受信するので、有料道路管理会社が有料道路を利用した年月日と通行料金の利用履歴情報を有料道路通行料金請求／徴収代行会社から自動的に入手することができ、有料道路管理会社のサーバが受信した利用履歴情報をデータベースに格納するので、有料道路を利用した利用履歴情報を有料道路管理会社のデータベースにより管理することができる。
【００７３】
本発明の有料道路料金収受システムによれば、有料道路通行料金請求／徴収代行会社とサービス提供依頼者とが車両に関連する車両関連サービス情報を提供する契約を別途に締結するのみで、サービス提供依頼者の端末から有料道路通行料金請求／徴収代行会社に対して車両に関連する車両関連サービス情報の提供の依頼があった場合に、有料道路通行料金請求／徴収代行会社のサーバが車両に関連する車両関連サービス情報をサービス提供依頼者の端末に有料で通知するので、車両に関連する車両関連サービス情報を有料道路通行料金請求／徴収代行会社からサービス提供依頼者に付帯サービスとして提供することができる。
【００７４】
本発明の有料道路料金収受システムによれば、車両に関連する車両関連サービス情報が車両の現在位置の確認情報，盗難車両発見情報，不正車両発見情報，車検未済車両発見情報，自動車損害賠償責任保険（強制保険）有効期限切れ車両発見情報，速度超過違反車両発見情報，積載物重量制限超過違反車両発見情報などの情報を有しているので、車両関連サービス情報をサービス提供依頼者からの要求に応じて有効利用することができる。
【図面の簡単な説明】
【図１】本発明の実施の形態に係わる有料道路料金収受システムを示す構成図。
【図２】本発明の有料道路料金収受システムにおける車両を所有するユーザのＩＣナンバープレート取得時の処理フローチャート図。
【図３】本発明の有料道路料金収受システムにおける車両を所有するユーザに関する個人情報及び車両に関する車両情報の有料道路管理会社のデータベースへの登録時の処理フローチャート図。
【図４】本発明の有料道路料金収受システムにおけるＩＣナンバープレート装着車両の有料道路走行時の処理フローチャート図。
【図５】図４に続く処理フローチャート図。
【図６】本発明の有料道路料金収受システムにおけるユーザの所有する車両の有料道路料金所出口通過時の処理フローチャート図。
【図７】本発明の有料道路料金収受システムにおける有料道路の利用履歴情報の有料道路管理会社のデータベースへの格納時の処理フローチャート図。
【図８】本発明の有料道路料金収受システムにおける有料道路通行料金請求／徴収代行会社からサービス提供依頼者への依頼者ＩＤ発行時の処理フローチャート図。
【図９】本発明の有料道路料金収受システムにおけるサービス提供依頼者から有料道路通行料金請求／徴収代行会社への有料道路を走行する車両に関連する車両関連サービス情報の提供依頼時の処理フローチャート図。
【符号の説明】
１　車両
２　ＩＣチップ
３Ａ　ＩＣナンバープレート
３Ｂ　ナンバープレート
４　有料道路料金所
５Ａ　路側アンテナ
５Ｂ　路側アンテナ
６　有料道路管理会社
７　有料道路通行料金請求／徴収代行会社
８　サービス提供依頼者
９　公衆回線
１０　料金表示記録端末
１１　アンテナ
３０　ナンバープレート本体
３１　ナンバープレート本体
４０　料金所基地局
４１　車両検知器
４２　車高計
４３　路側表示器
４４　インターホン
４５　開閉バー
４６　発進制御装置
４７　車両監視カメラ
４８　重量計測装置
５０　有料道路基地局
６０　サーバ
６１　データベース（ＤＢ）
６２　パソコン（ＰＣ）
６３　ルータ
７０　サーバ
７１　データベース（ＤＢ）
７２　パソコン（ＰＣ）
７３　ルータ
８０　端末
Ｐ　ユーザ
Ｒ　有料道路
Ｓ　有料道路料金収受システム
【図１】
2004133563.tif 000003
【図２】
2004133563.tif 000004
【図３】
2004133563.tif 000005
【図４】
2004133563.tif 000006
【図５】
2004133563.tif 000007
【図６】
2004133563.tif 000008
【図７】
2004133563.tif 000009
【図８】
2004133563.tif 000010
【図９】
2004133563.tif 000011